(57)【特許請求の範囲】
【請求項１】
パラフィン（１）を収納する浴槽（２）に、前記パラフィン（１）が融解された時に生ずる膨張圧を減圧する減圧手段（３）を設け、該減圧手段（３）を、前記浴槽（２）の側壁（２ｂ）に接するパラフィン（１）を溶融させる側壁加熱手段（６）とするパラフィン浴装置であって、前記浴槽（２）の底壁（２ａ）にはパラフィン（１）を加熱溶融させるメインヒーター（４）が添着され、該メインヒーター（４）は、メイン通電部（５）に接続され該メイン通電部（５）によって通電制御されるものであり、側壁加熱手段（６）は、側面ヒーター（７）と、該側面ヒーター（７）を通電し制御する側面通電部（８）を有しており、該側面通電部（８）で前記側面ヒーター（７）を通電制御し側壁（２ｂ）の温度調節を行い、前記メインヒーター（４）への通電時に同時に前記側面ヒーター（７）を通電し、前記底壁（２ａ）と前記側壁（２ｂ）部分の前記パラフィン（１）を溶融することで前記底壁（２ａ）部分の圧力を減圧することを特徴とするパラフィン浴装置。
【請求項２】
浴槽（２）に取り付けられた排液パイプ（１０）には、該パイプ（１０）を加熱する排液パイプヒーター（１１）が設けられることを特徴とする請求項１記載のパラフィン浴装置。
【発明の詳細な説明】
【０００１】
【発明の属する技術分野】
本発明は、パラフィン浴槽内のパラフィンを融解した時に生じるパラフィンの膨張圧を減圧するパラフィン浴装置に関する。
【０００２】
【従来の技術】
従来の技術として、実公平３−４７６４１号公報に、パラフィン温浴槽、循環経路、フィルタ、吸込口、排出口、筒体、搬送手段、駆動手段、着脱手段等からなる濾過装置付きパラフィン温浴槽が開示されている。
【０００３】
【発明が解決しようとする課題】
前記実公平３−４７６４１号公報に記載された装置は、長期間にわたって清浄に保たれ、悪臭の発生も極力抑制されるという効果を有する。
【０００４】
通常、パラフィン浴槽は腕を入れることができる程度に深いものであり、溶融したパラフィンが好適に対流するように、底壁裏面にヒーターが取着されている。パラフィンは熱伝導が悪く、溶かし初めの時には、収納パラフィンのうち底部にあるパラフィンだけが溶ける。パラフィンの融解時の体積は固形時に比べて約２０％増加することから底部には高圧力が加わる。更に、パラフィンに混入する水分及び底部に溜った水が水蒸気に気化し膨張し、底部に高圧力が発生する場合もある。
【０００５】
このような状態下で、パラフィン浴槽内の上部位置にあるパラフィンの層の弱い箇所があればそこから、パラフィンや蒸気が一挙に噴出し、パラフィンが飛散する。前述の噴出が起きると、高熱の溶融したパラフィンがパラフィン浴槽の近辺にいる患者や施療者にかかり、火傷を負わせる危険があり、又、衣服や床を汚すという不都合が生ずる。
【０００６】
又、前記公報には、浴槽からパラフィンを好適に排出するための手段が開示されていない。従来のパラフィン浴槽には、内部のパラフィンを排出する時に、該パラフィンが、排出時に冷えて固まり排出管路内で詰まる為、確実に排出できないことがあり、不都合であった。
【０００７】
本発明の目的は、安全で取り扱いが良好なパラフィン浴装置を提供することにある。
【０００８】
【課題を解決しようとする手段】
即ち本発明は、パラフィン（１）を収納する浴槽（２）に、前記パラフィン（１）が融解された時に生ずる膨張圧を減圧する減圧手段（３）を設け、該減圧手段（３）を、前記浴槽（２）の側壁（２ｂ）に接するパラフィン（１）を溶融させる側壁加熱手段（６）とするパラフィン浴装置であって、前記浴槽（２）の底壁（２ａ）にはパラフィン（１）を加熱溶融させるメインヒーター（４）が添着され、該メインヒーター（４）は、メイン通電部（５）に接続され該メイン通電部（５）によって通電制御されるものであり、側壁加熱手段（６）は、側面ヒーター（７）と、該側面ヒーター（７）を通電し制御する側面通電部（８）を有しており、該側面通電部（８）で前記側面ヒーター（７）を通電制御し側壁（２ｂ）の温度調節を行い、前記メインヒーター（４）への通電時に同時に前記側面ヒーター（７）を通電し、前記底壁（２ａ）と前記側壁（２ｂ）部分の前記パラフィン（１）を溶融することで前記底壁（２ａ）部分の圧力を減圧することを特徴とするパラフィン浴装置である。又、浴槽（２）に取着された排液パイプ（１０）に該パイプ（１０）を加熱する排液パイプヒーター（１１）が設けられる。
【０００９】
【発明の実施の形態】
浴槽２で温熱療法用のパラフィン１を溶融する。浴槽２に設けられた減圧手段３はパラフィン１が加熱される時に生ずる膨張圧を減圧する。
【００１０】
減圧手段３である側壁加熱手段６は、浴槽２の側壁２ｂに接するパラフィン１を溶融させる。
【００１１】
溶融したパラフィン１内を膨張したパラフィン１及び水蒸気が通り抜け、浴槽２の底部２ａに発生した前記パラフィン１及び水蒸気の圧力を減圧する。
【００１２】
浴槽２に取着された排液パイプ１０は浴槽２内のパラフィン１を外部に排出し、排液パイプ１０に設けられた排液パイプヒーター１１は、パラフィン１の排出時に流出するパラフィン１が凝固しないように排液パイプ１０を加熱する。
【００１３】
【実施例】
図１、２、３、４に示す本発明の第１実施例は、パラフィン１を収納する浴槽２に、パラフィン１が加熱された時に生ずる膨張圧を減圧する減圧手段３を備えたものである。浴槽２は、収納したパラフィン１を加熱し溶融させるものであり、該浴槽２の底壁２ａ外面に、浴槽２を加熱し、パラフィン１を加熱のうえ溶融させるメインヒーター４が添着される。メインヒーター４は、メイン通電部５に接続され通電制御される。
【００１４】
減圧手段３は具体的には、浴槽２の側壁２ｂに接するパラフィン１を溶融させる側壁加熱手段６である。前記側壁加熱手段６は、側面ヒーター７と、側面ヒーター７を通電し制御する側面通電部８とで構成される。側面通電部８は、患者が側壁２ｂに接触しても火傷をしないように側面ヒーター７を通電制御し側壁２ｂの温度を調節するものである。側壁２ｂは温度調節したものであるから、患者が側壁２ｂに当っても安全であり高熱に驚愕するということもない。
【００１５】
浴槽２に設けられる排液パイプ１０は、パラフィン１を外部へ排出させるものである。該排液パイプ１０には該パイプ１０を加熱する排液パイプヒーター１１が設けられる。前記排液パイプヒーター１１は、排液パイプ通電部１２に接続され通電制御される。
【００１６】
図４に、電気的構成のブロック図を示しており、メイン通電部５は、メインヒーター４に電源電力１９を通電し制御するもので、電源電力１９をメインヒーター４に通電し制御するメインヒーター制御回路１３と、浴槽２内の温度を検出しその検出値をメインヒーター制御回路１３に与える槽内温度測定用センサ１４とからなる。
【００１７】
側面通電部８は、側面ヒーター７に電源電力１９を通電し制御するもので、電源電力１９を側面ヒーター７に通電し制御する側面ヒーター制御回路１５と、側壁２ｂの温度を検出しその検出値を側面ヒーター制御回路１５に与える側面温度測定用センサ１６とからなる。
【００１８】
排液パイプ通電部１２は、電源電力１９を排液パイプヒーター１１に通電し制御するもので、排液パイプヒーター１１に通電し制御する排液パイプヒーター制御回路１７と、排液パイプ１０の温度を検出しその検出値を排液パイプヒーター制御回路１７へ与える排液パイプ温度測定用センサ１８とからなる。
【００１９】
尚、図１中、２１は弁、２４は脚、２５はヒーター押え板、図３中、２３はヒーター取付金具、図４中、２０は電源スイッチである。
【００２０】
第１実施例の使用に際しては、先ず、電源スイッチ２０を入れ、メインヒーター制御回路１３を作動させ、メインヒーター４に電源電力１９を通電し、浴槽２内のパラフィン１を加熱し溶融する。
【００２１】
メインヒーター４の発熱により底壁２ａが昇温し、パラフィン１が溶融し、温熱治療に使用できる状態に至る。槽内温度測定用センサ１４の検出温度が設定値に達すると、メインヒーター制御回路１３が作用しメインヒーター４の通電を停止する。メインヒーター４の通電が遮断された後は、浴槽２内のパラフィン１が外気温により冷却する。
【００２２】
パラフィン１の温度が設定温度より下がると、槽内温度測定用センサ１４がその事象を検出し、メインヒーター制御回路１３から通電開始の指示が出、メインヒーター４の通電を再開する。このようにメイン通電部５によってメインヒーター４は通電のオンオフを繰返し、浴槽２内の温度を設定温度に維持する。
【００２３】
又、前述のメインヒーター４が通電され発熱すると底壁２ａが加熱される。この時、浴槽２内のパラフィン１と共にパラフィン１に混入される空気、水分、浴槽２内の底部に溜る水等が加熱され、パラフィン１が膨張すると共に、水は水蒸気となって高圧になる。
【００２４】
メインヒーター４に通電する時、同時に側面ヒーター７も通電し、底部２ａ部分のパラフィン１と共に側壁２ｂ部分のパラフィン１が溶融するので、前述の高圧になった底部２ａのパラフィン１及び水蒸気等は、側壁２ｂ部分の溶融したパラフィン１内を通り抜けて外気中へ排出し、該底部２ａ部分の圧力は減圧される。
【００２５】
側面ヒーター７への通電に係る他の実施例では、パラフィン浴槽の使用の当初時のみ側面ヒーター７へ通電し、浴槽２内のパラフィン１が溶融した後は通電を停止するものとし、次回の、パラフィン１を溶融開始する時まで停止のままとする。
【００２６】
パラフィン１を排出する時は、排液パイプ１０の弁２１を手動で開け、パラフィン１を排出する。排液パイプヒーター１１は通電されて、排液パイプ１０が熱せられているので、パラフィン１は、排液パイプ１０内で液化しており弁２１を開けるだけで排出する。排液パイプ１０の外側温度は排液パイプ温度測定用センサ１８で検出し所定温度に制御する。
【００２７】
図５に示す第１の参考例は、減圧手段３の第１実施例である側面ヒーター７の代わりに、底壁２ａにヒーター付きの安全弁２２を設ける。安全弁２２は、内部圧力が設定した圧力を越えると該弁２２が一時開き、圧縮気体を排出して減圧し、当該内部圧力を設定値に維持するものである。
【００２８】
上記構成では、浴槽１を加熱開始後、底部２ａに設定圧力値以上の高圧が発生すると、その高圧部分が安全弁２２から排出され減圧される。即ち、安全弁２２からパラフィン１及び水蒸気が排出され、底部２ａの昇圧が解消される。尚、安全弁２２から出るパラフィン１は適宜な容器で受ける。
【００２９】
図６に示す第２の参考例は、前記側壁加熱手段６の側面ヒーター７を、浴槽２の底壁２ａから側壁２ｂにわたって添着される高熱伝導率部材９に代え、該高熱伝導率部材９を、底壁２ａに設けられたメインヒーター４で加熱する。
【００３０】
図７に示す第３の参考例は、第２の参考例における高熱伝導率部材９を蓋２６に垂下状に取り付けたものである。浴槽２の加熱の当初、底壁２ａの熱が、周辺のパラフィン１より先に高熱伝導率部材９に伝導し該部材９が昇温する。該部材９が該部材９周辺のパラフィン１を底部のパラフィン１の溶解とほぼ同時期に融解させその融解した部分を、底部のパラフィン１の膨張圧分の発散通路となって、該圧力を減圧できる。第３の参考例は、浴槽２の側壁２ｂが熱くない為火傷の心配がない。
【００３１】
図８に示す第４の参考例は、側壁２ｂに浴槽２の上部と下部を連結するバイパス２７を設け、該バイパス２７にバイパスヒーター２８を取り付ける。浴槽２を使用開始する際、メインヒーター４と同時にバイパスヒーター２８を通電し、底部のパラフィン１の膨張圧をバイパス２７で減圧する。第４の参考例では、浴槽２の側壁２ｂが熱くない為火傷の心配がない。
【００３２】
【発明の効果】
本発明は、パラフィン１を収納する浴槽２に、前記パラフィン１が融解された時に生ずる膨張圧を減圧する減圧手段３を設け、該減圧手段３を、前記浴槽２の側壁２ｂに接するパラフィン１を溶融させる側壁加熱手段６とするパラフィン浴装置であって、前記浴槽２の底壁２ａにはパラフィン１を加熱溶融させるメインヒーター４が添着され、該メインヒーター４は、メイン通電部５に接続され該メイン通電部５によって通電制御されるものであり、側壁加熱手段６は、側面ヒーター７と、該側面ヒーター７を通電し制御する側面通電部８を有しており、該側面通電部８で前記側面ヒーター７を通電制御し側壁２ｂの温度調節を行い、前記メインヒーター４への通電時に同時に前記側面ヒーター７を通電し、前記底壁２ａと前記側壁２ｂ部分の前記パラフィン１を溶融することで前記底壁２ａ部分の圧力を減圧することを特徴とするものであるから、底壁２ａ部分のパラフィン１の溶解により発生したパラフィン１の膨張圧及び水蒸気を、側壁２ｂに接する溶融パラフィン１の中から徐々に抜き、底壁２ａ部分の圧力を減圧でき、パラフィン１が一挙に噴出せず飛散せず、好都合である。
【００３３】
又、本発明は、浴槽２に取着された排液パイプ１０に該パイプ１０を加熱する排液パイプヒーター１１が設けられたので、パラフィン１を排出する時、パラフィン１が、排液パイプ１０中に凝固せず詰まることはなく、確実に容易に排出でき、好都合である。
【図面の簡単な説明】
【図１】本発明の第１実施例の正面断面図である。
【図２】本発明の第１実施例における左側面断面図である。
【図３】本発明の第１実施例における排液パイプを示す部分図である。
【図４】本発明の第１実施例の電気的構成を示すブロック図である。
【図５】本発明の第１の参考例に係る安全弁を用いたものの正面断面図である。
【図６】本発明の第２の参考例に係る高熱電動率部材を示す正面断面図である。
【図７】本発明の第３の参考例に係る高熱電動率部材を示す左側面断面図である。
【図８】本発明の第４の参考例に係る減圧手段を示す正面断面図である。
【図１】
0003875773.tif 000002
【図２】
0003875773.tif 000003
【図３】
0003875773.tif 000004
【図４】
0003875773.tif 000005
【図５】
0003875773.tif 000006
【図６】
0003875773.tif 000007
【図７】
0003875773.tif 000008
【図８】
0003875773.tif 000009